(57)【要約】【課題】本発明の課題は、安価でＣＤ−ＲＷの高速再生を可能にする光ディスク装置を提供することである。【解決手段】上記課題は、光ディスクから読み取ったＲＦ信号のノイズ成分を除去するＬＰＦ（ローパスフィルタ）を備えた光ディスク装置において、前記光ディスクの種別を表す制御信号を出力するＬＰＦ切換信号発生手段と、前記光ディスクの種別を表す制御信号を受けて、前記ＬＰＦのカットオフ周波数を変更するカットオフ周波数変更手段とを備えたことを特徴とする光ディスク装置にて解決される。【選択図】　図１
2004046931.tif 000002
【特許請求の範囲】
【請求項１】
光ディスクから読み取ったＲＦ信号のノイズ成分を除去するＬＰＦ（ローパスフィルタ）を備えた光ディスク装置において、
前記光ディスクの種別を表す制御信号を出力するＬＰＦ切換信号発生手段と、
前記光ディスクの種別を表す制御信号を受けて、前記ＬＰＦのカットオフ周波数を変更するカットオフ周波数変更手段とを備えたことを特徴とする光ディスク装置。
【請求項２】
請求項１記載の光ディスク装置において、
前記ＬＰＦ切換信号発生手段は、前記光ディスクの種別を判定し、判定結果を制御信号として出力する光ディスク種別判定手段を備えたことを特徴とする光ディスク装置。
【請求項３】
請求項２記載の光ディスク装置において、
前記カットオフ周波数変更手段は、前記ＬＰＦに前記制御信号が入力されたとき、第１のカットオフ周波数を有する第１のＬＰＦ又は第２のカットオフ周波数を有する第２のＬＰＦとして動作することを特徴とする光ディスク装置。
【請求項４】
請求項３記載の光ディスク装置において、
前記ＬＰＦは、入力端子と接地端子との間に接続された抵抗と第１のコンデンサとの直列回路と、前記第１のコンデンサと並列に接続されるトランジスタと第２のコンデンサとの直列回路とから構成されることを特徴とする光ディスク装置。
【請求項５】
請求項３又は４記載の光ディスク装置において、
前記ＬＰＦは、前記光ディスク種別判定手段から制御信号として、ＬＰＦを切り換える旨の制御信号が前記トランジスタに印加されるときは、前記第１のカットオフ周波数を有するＬＰＦとして動作し、
ＬＰＦを切り換えない旨の制御信号が前記トランジスタに印加されるときは、前記第２のカットオフ周波数を有するＬＰＦとして動作することを特徴とする光ディスク装置。
【発明の詳細な説明】
【０００１】
【発明の属する技術分野】
本発明は、光ディスク装置に係り、詳しくは、光ディスクの種別に応じて、ＲＦアンプから出力されるＲＦ信号のノイズ成分を除去するローパスフィルタのカットオフ周波数を変更する光ディスク装置を提供することである。
【０００２】
【従来の技術】
一般に、ＣＤ−ＲＯＭドライブで通常のＣＤ−ＲＯＭを再生する場合、再生速度は最大となっているが、同ドライブでＣＤ−ＲＷを再生する場合、当該ＣＤ−ＲＷのレーザー反射率が約２０％と上記ＣＤ−ＲＯＭと比してかなり低くなっているため、再生速度を落として、つまり低速（最大１０倍速）にして再生されるようになっている。
【０００３】
【発明が解決しようとする課題】
上述したように、ＣＤ−ＲＷはレーザー反射率が約２０％と低い。このため、光ピックアップで読み込んだデータの信号レベルは低く、所望の１／４程度となっている。ＲＦアンプは、光ピックアップにより読み込まれたデータ信号を所定の増幅率で増幅する機能を持っており、本例では、上記光ピックアップにより読み込まれた信号レベルの低いデータ信号（所望の１／４程度）を４倍程度まで増幅して出力する。このようにＲＦアンプは、信号レベルの低い入力信号を所定レベルまで増幅するが、このとき信号に重畳されたノイズも同時に増幅（ノイズも４倍に増幅される）してしまう。
【０００４】
ＲＦアンプにより増幅されたデータ信号は、高周波成分（ノイズ）を除去するためのＬＰＦ（ローパスフィルタ）に入力されてノイズ除去された後、信号処理回路（以下、ＤＳＰという）に出力されるが、従来のＣＤ−ＲＯＭドライブでは、上記ＬＰＦのカットオフ周波数（ｆｃ（Ｈｚ）以上の高周波　成分をカットする周波　数）として、ＣＤ−ＲＯＭのデータ信号の周波数を通過させるに充分な周波数が選択される。このため、ＣＤ−ＲＷのように低速で再生されるメディアを利用した場合、データ信号の周波数も低くなるため、上記ＬＰＦでは、該データ信号に重畳されるノイズを十分除去できない。その結果、高速（最大２０倍速）再生ができないという問題があった。
【０００５】
本発明は、上記のような問題点に鑑みてなされたもので、その課題とするところは、安価でＣＤ−ＲＷの高速再生を可能にする光ディスク装置を提供することである。
【０００６】
【課題を解決するための手段】
上記課題を解決するため、本発明は、請求項１に記載されるように光ディスクから読み取ったＲＦ信号のノイズ成分を除去するＬＰＦ（ローパスフィルタ）を備えた光ディスク装置において、前記光ディスクの種別を表す制御信号を出力するＬＰＦ切換信号発生手段と、前記光ディスクの種別を表す制御信号を受けて、前記ＬＰＦのカットオフ周波数を変更するカットオフ周波数変更手段とを備えたことを特徴としている。
【０００７】
本発明の請求項２は、前記光ディスク装置において、前記ＬＰＦ切換信号発生手段は、前記光ディスクの種別を判定し、判定結果を制御信号として出力する光ディスク種別判定手段を備えたことを特徴としている。
【０００８】
本発明の請求項３は、前記光ディスク装置において、前記カットオフ周波数変更手段は、前記ＬＰＦに前記制御信号が入力されたとき、第１のカットオフ周波数を有する第１のＬＰＦ又は第２のカットオフ周波数を有する第２のＬＰＦとして動作することを特徴としている。
【０００９】
本発明の請求項４は、前記光ディスク装置において、前記ＬＰＦは、入力端子と接地端子との間に接続された抵抗と第１のコンデンサとの直列回路と、前記第１のコンデンサと並列に接続されるトランジスタと第２のコンデンサとの直列回路とから構成されることを特徴としている。
【００１０】
本発明の請求項５は、前記光ディスク装置において、前記ＬＰＦは、前記光ディスク種別判定手段から制御信号として、ＬＰＦを切り換える旨の制御信号が前記トランジスタに印加されるときは、前記第１のカットオフ周波数を有するＬＰＦとして動作し、ＬＰＦを切り換えない旨の制御信号が前記トランジスタに印加されるときは、前記第２のカットオフ周波数を有するＬＰＦとして動作することを特徴としている。
【００１１】
上記本発明の構成によれば、再生すべきディスクの種別に応じてＬＰＦのカットオフ周波数を切り換えて、光ディスクから読み取った再生ＲＦ信号を通過させるため、選択的にカットオフ周波数を制御することができる。例えば、ＣＤ−ＲＷのように低速で再生されるディスクを検出した場合は、データ信号の周波数が低いので、カットオフ周波数はその低い周波数を選択するよう変更される。これにより、ＣＤ−ＲＷ再生時のデータ信号の波形を損なうことなく効果的にノイズを除去できるので、高速でのＣＤ−ＲＷ再生が実現される。
【００１２】
【発明の実施の形態】
以下、本発明の実施の形態を図面に基づいて説明する。
【００１３】
図１は、本発明の実施の一形態に係る光ディスク装置の概略構成図である。　図１において、本発明の光ディスク装置は、例えば、ＣＤ−ＲＯＭドライブ装置であって、ディスク１１、光ピックアップ１２、スピンドルモータ１３、ＲＦアンプ１４、ＬＰＦ（ローパスフィルタ）１５、ＤＳＰ（Ｄｉｇｉｔａｌ　Ｓｉｇｎａｌ　Ｐｒｏｃｅｓｓｏｒ：ディジタル信号処理回路）１６、制御部１７、を備えている。
【００１４】
以上のように構成された本発明の光ディスク装置の動作について説明する。ディスク１１は、例えば、ＣＤやＤＶＤなどのディスクであって、信号情報がピット列に記憶されている（図示省略）。このディスク１１の信号情報は、光ピックアップ１２によって光学的に読み取られる。光ピックアップ１２の出力である読み取り信号は、ＲＦアンプ１４に入力され、ディスク１１に記録されている信号情報に対応した信号を再生ＲＦ信号としてＬＰＦ１５に出力する。ＤＳＰ１６は、ＬＰＦ１５を通した再生ＲＦ信号を入力とし、その入力した信号を用いて所定の信号処理を行う。ＬＰＦ１５は、コンデンサ２２、２３及び抵抗２１、抵抗入りトランジスタ２４の４素子で構成される。このＬＰＦ１５のカットオフ周波数は、制御部１７から出力される制御信号（カットオフ周波数を切り換えるためのパルス信号が制御信号として出力される）を受けて切り換えられる。１８は、この制御信号の入力端子である。
【００１５】
図２は制御部１７での処理手順を示すフローチャートである。制御部１７は、再生すべきディスクがＣＤ−ＲＷかどうかを判定（Ｓ１）し、この判定（Ｓ１）で、再生すべきディスクがＣＤ−ＲＷと判定された場合（Ｓ１でＹＥＳ）は　“Ｈｉ”のパルス信号（例：Ｈｉ＝４．５Ｖ〜５．５Ｖ）を上記トランジスタ２４に出力（Ｓ２）する。一方、再生すべきディスクがＣＤ−ＲＷでないと判定された場合（Ｓ１でＮＯ）は、“Ｌｏ”のパルス信号（Ｌｏ＝０．５Ｖ〜０．８Ｖ）を上記トランジスタ２４に出力（Ｓ３）する。
【００１６】
ＬＰＦ１５のトランジスタ２４は、制御部１７からの制御信号出力として“Ｈｉ”のパルス信号を受けると、ベース電流がＯＮとなり、コレクタ−エミッタ間もＯＮとなる。つまり、トランジスタ２４が動作状態（トランジスタＯＮ）となるので、ＬＰＦ１５は、抵抗２１と、並列のコンデンサ２２、２３からなるＬＰＦ（以下、第１のＬＰＦという）を構成する。この第１のＬＰＦは、図３の（ｉ）に示すようなカットオフ周波数（ｆ１）、例えば、ＣＤ−ＲＷディスクのデータ信号の周波数を通過させるに充分な帯域（例：数百ＫＨｚ）が選択される。
【００１７】
一方、制御部１７からの出力として“Ｌｏ”のパルス信号が上記トランジスタ２４のベースに印加されると、ベース電流がＯＦＦとなり、コレクタ−エミッタ間もＯＦＦとなる。つまり、トランジスタ２４が動作しない状態（トランジスタＯＦＦ）となるので、ＬＰＦ１５は、抵抗２１と、コンデンサ２３からなるＬＰＦ（以下、第２のＬＰＦという）を構成する。この第２のＬＰＦは、図３の（ｉｉに示すようなカットオフ周波数（ｆ２）、例えば、ＣＤ−ＲＷディスク以外のディスクのデータ信号の周波数を通過させるに充分な帯域（例：数ＭＨｚ）が選択される。このように再生すべきディスクの種別に応じてＬＰＦ１５のカットオフ周波数が変更されるので、ぞれぞれのディスク再生時において、データ信号に重畳されるノイズ成分を効果的に除去することができる。
【００１８】
以上のように本実施形態によれば、再生すべきディスクに応じてトランジスタ２４をオンオフさせ、コンデンサ２２をコンデンサ２３に並列に接続することによってローパスフィルタの特性を複数段階に変化（カットオフ周波数の変更）させることができる。例えば、ＣＤ−ＲＷのように低速で再生されるディスクを検出した場合は、データ信号の周波数が低いので、カットオフ周波数はその低い周波数を選択するよう変更される。これにより、ＣＤ−ＲＷ再生時のデータ信号の波形を損なうことなく効果的にノイズを除去できるので、高速でのＣＤ−ＲＷ再生が実現される。
【００１９】
なお、上述の実施形態は本発明の好適な実施の一例であり、これに限定されるものではない。本発明の要旨を逸脱しない範囲内において種々変形実施が可能である。例えば、本発明のＬＰＦ１５はＲＣ型のローパスフィルタであるがＬＣ型のローパスフィルタで構成してもかまわない。
【００２０】
上記例において、制御部１７の制御信号出力機能がＬＰＦ切換信号発生手段に対応し、同制御部１７のディスク検出機能が光ディスク種別判定手段に対応する。また、ＬＰＦ１５のカットオフ周波数変更機能がカットオフ周波数変更手段に対応する。
【００２１】
【発明の効果】
以上の説明で明らかなように、本願発明によれば、再生すべきディスクの種別に応じてＬＰＦのカットオフ周波数を切り換えて、光ディスクから読み取った再生ＲＦ信号を通過させるため、選択的にカットオフ周波数を制御することができる。例えば、ＣＤ−ＲＷのように低速で再生されるディスクを検出した場合は、データ信号の周波数が低いので、カットオフ周波数はその低い周波数を選択するよう変更される。これにより、ＣＤ−ＲＷ再生時のデータ信号の波形を損なうことなく効果的にノイズを除去できるので、高速でのＣＤ−ＲＷ再生が実現される。
【００２２】
【図面の簡単な説明】
【図１】本発明に係る光ディスク装置の概略構成図である。
【図２】制御部での処理手順を示すフローチャートである。
【図３】本発明の実施の形態のＬＰＦの周波数特性を示す図である。
【符号の説明】
１１　ディスク
１２　光ピックアップ
１３　スピンドルモータ
１４　ＲＦアンプ
１５　ＬＰＦ
１６　ＤＳＰ
１７　制御部
１８　制御信号入力端子
２１　抵抗
２２、２３　コンデンサ
２４　抵抗入りトランジスタ
【図１】
2004046931.tif 000003
【図２】
2004046931.tif 000004
【図３】
2004046931.tif 000005